(57)【要約】      （修正有）【課題】単純な接続形態で、最小の構成要素で追加のケーブル配線又は組み込まれるサービス手順を必要としない電流センサを提供する。【解決手段】ハウジングを備える電流センサであって、ハウジングは、電力ケーブルワイヤの周りにクランプされる第１のモジュールと、処理ユニット６及び通信ユニット７を含む第２のモジュールと、を備え、第１のモジュールは、ワイヤを流れる電流を測定し、測定電流を第１の通信リンク８を経由して処理ユニットに送る手段をさらに備え、処理ユニットは、第１のタイムトラッカーを備え、測定電流が第１の所定閾値よりも大きい場合に第１のタイムトラッカーを増分する手段をさらに備え、通信ユニットは、第１のタイムトラッカー値を無線で送るＧＳＭモジュールを備える。【選択図】図２
0003225561.tif 000002
【実用新案登録請求の範囲】
【請求項１】
ハウジング（２）を備える電流センサであって、前記ハウジング（２）は、
電力ケーブル（５）のワイヤの周りにクランプされるようになっている第１のモジュール（３）と、
処理ユニット（６）及び通信ユニット（７）を含む第２のモジュール（４）と、
を備え、
前記第１のモジュール（３）は、ワイヤを流れる電流を測定し、測定電流を第１の通信リンク（８）を経由して前記処理ユニット（６）に送るための手段をさらに備え、
前記処理ユニット（６）は、第１のタイムトラッカーを備え、
前記処理ユニット（６）は、前記測定電流が第１の所定閾値よりも大きい場合に前記第１のタイムトラッカーを増分する手段をさらに備え、前記通信ユニット（７）は、前記第１のタイムトラッカー値を無線で送るようになっているＧＳＭ（登録商標）モジュールを備えることを特徴とする電流センサ。
【請求項２】
前記ハウジング（２）は、前記第１のモジュール（３）及び前記第２のモジュール（４）を取り囲む、請求項１に記載の電流センサ。
【請求項３】
前記第２のモジュール（４）は、前記電力ケーブル（５）から電気エネルギを取り込むようになっているエネルギ変換回路（１０）をさらに備える、請求項１又は２に記載の電流センサ。
【請求項４】
前記第２のモジュール（４）は、前記取り込まれた電気エネルギによって充電されるようになっているコンデンサ（１１）をさらに備える、請求項１乃至３の何れか１項に記載の電流センサ。
【請求項５】
前記コンデンサ（１１）は、前記第１のタイムトラッカー値を無線で送るために前記ＧＳＭ（登録商標）モジュールに必要であるエネルギを供給するようになっている、請求項４に記載の電流センサ。
【請求項６】
前記第２のモジュール（４）は、前記処理ユニット（６）へのデータリンクを含み、前記第１のタイムトラッカー値を記憶するようになっているメモリモジュールをさらに備える、請求項１乃至５の何れか１項に記載の電流センサ。
【請求項７】
前記第２のモジュール（４）は、第２のタイムトラッカーを備える、請求項１乃至６の何れか１項に記載の電流センサ。
【請求項８】
バッテリモジュールを備えていない、請求項１乃至７の何れか１項に記載の電流センサ。
【請求項９】
圧縮機要素を駆動するモータと、前記モータに電力を供給する電力ケーブルとを備える圧縮ガス供給網であって、請求項１乃至８の何れか１項に記載の電流センサ（１）を備える圧縮ガス供給網（１３）。
【請求項１０】
電力ケーブル（５）のワイヤ部を流れる電流を測定することで、前記電力ケーブル（５）に接続された電気モータによって駆動される機器の機能を決定する方法であって、前記方法は、
第１のモジュール（３）及び第２のモジュール（４）を備えるハウジング（２）を有する電流センサ（１）を準備する段階と、
前記第１のモジュール（３）を前記電力ケーブル（５）のワイヤの周りにクランプする段階と、
前記第２のモジュール（４）の一部に処理ユニット（６）及び通信ユニット（７）を準備する段階と、
前記ワイヤを流れる電流を測定して、第１の通信リンク（８）を経由して前記測定電流を前記処理ユニット（６）に送る段階と、
を含み、前記方法は、
前記処理ユニット（６）に第１のタイムトラッカーを準備する段階と、
前記測定電流を第１の所定閾値と比較して、前記測定電流が前記第１の所定閾値よりも大きい場合に前記第１のタイムトラッカーの第１のカウンターを増分する段階と、
をさらに含み、これにより前記方法は、
前記通信ユニット（７）の一部のＧＳＭ（登録商標）モジュールを経由して前記第１のタイムトラッカー値を送る段階をさらに含む、方法。
【請求項１１】
前記第１のタイムトラッカー値を外部デバイスに送る段階をさらに含む、請求項１０に記載の方法。
【請求項１２】
前記電流が前記所定閾値よりも小さい場合、前記第１のタイムトラッカーの第２のカウンターを増加させる段階をさらに含む、請求項１０又は１１に記載の方法。
【請求項１３】
第１のカウンター値及び／又は第２のカウンター値を前記電流センサの一部のメモリモジュールに記憶する段階をさらに含む、請求項１２に記載の方法。
【請求項１４】
前記第１のカウンターと前記第２のカウンターとの間の合計値と、前記第１のカウンター値又は前記第２のカウンター値とを、前記第２のタイムトラッカーによって測定した所定の時間間隔の後で、前記ＧＳＭ（登録商標）モジュールを経由して送る段階をさらに含む、請求項１２又は１３に記載の方法。
【請求項１５】
所定の時間間隔の間に、前記電流センサ（１）のための初期設定フェーズを実行する段階をさらに含む、請求項１０乃至１４の何れか１項に記載の方法。
【請求項１６】
前記電力ケーブル（５）から電気エネルギを取り込んで電流センサの一部のコンデンサ（１１）を充電する段階をさらに含む、請求項１０乃至１５の何れか１項に記載の方法。
【請求項１７】
前記ンデンサ（１１）は、前記通信ユニット（７）に必要な電力を供給する、請求項１０乃至１６の何れか１項に記載の方法。
【請求項１８】
前記第２のモジュール（４）の一部のディップスイッチのポートを事前設定するステップをさらに含み、前記ポートの各々が第１の所定閾値を有するようになっている、請求項１０乃至１７の何れか１項に記載の方法。
【請求項１９】
前記ＧＳＭ（登録商標）モジュールのＩＭＥＩコードによって前記電流センサ（１１）を識別する段階をさらに含む、請求項１０乃至１８の何れか１項に記載の方法。
【請求項２０】
圧縮機又は乾燥機の稼働時間を決定する段階を含む、請求項１乃至８の何れか１項に記載の電流センサの使用。
【考案の詳細な説明】
【技術分野】
【０００１】
本考案はハウジングを備える電流センサに関し、このハウジングは、
−電力ケーブルのワイヤの周りにクランプされるようになっている第１のモジュールと、
−処理ユニット及び通信ユニットを備える第２のモジュールと、
を備え、
−第１のモジュールは、ワイヤを流れる電流を測定して、測定電流を第１の通信リンクを介して処理ユニットに送る手段をさらに備え、
−処理ユニットは、第１のタイムトラッカーを備える。
【背景技術】
【０００２】
電流検出装置は、例えば米国特許公開第２０１５／１３７，５９６号に開示されるような産業分野で使用される。この装置は、ケーブルを流れる電流を測定し、インターネット網を介して測定値を管理システムに送る。この装置は、ケーブルから取り込んだエネルギをスイッチ及び負荷バランシング決定手段に基づいて複数の貯蔵デバイスに送ることができる制御ユニットをさらに備える。
【０００３】
上記の装置は、単一の機器上の電流を検出すための最も単純でコスト効果の高い解決策ではない。
【０００４】
さらに、この装置は測定電流を送るので、機能するには大量のエネルギを必要とする。そのために、上記の装置は、複数のエネルギ貯蔵ユニットを備え、装置の製造および潜在的サービスコストが高くなる。
【０００５】
さらに、全ての測定値は管理システムに送られるので、上記の装置は、追加の処理なしで、ケーブルに接続されたユニットの機能に関する何らかの情報を提供することができない。この装置のユーザは、管理システムから関連情報を取り出すために、管理システムに問い合わせして生データを分析する必要があるであろう。このような手順は、データ量が大きくなりやすいので面倒になっている。
【先行技術文献】
【特許文献】
【０００６】
【特許文献１】米国特許公開第２０１５／１３７，５９６号
【考案の概要】
【考案が解決しようとする課題】
【０００７】
上記の問題点を考慮して、本考案の目的は、単純な接続形態で、最小の構成要素で追加のケーブル配線又は組み込まれるサービス手順を必要としない電流センサを提供することである。
【課題を解決するための手段】
【０００８】
本考案による電流センサは、電力ケーブルに接続した機器の機能に関する情報を提供して、ユーザが自身の特定の使用パターンに基づいてサービス手順を計画するタイミングを特定するのを助けることを目的とする。
本考案は、製造が容易でコスト効果が高く、さらに全ての地理的領域に配置可能な電流センサを提供することを目的とする。
【０００９】
本考案は、ハウジングを備える電流センサを提供することで上記の及び／又は他の問題点のうちの少なくとも１つを解決し、このハウジングは、
電力ケーブルのワイヤの周りにクランプされるようになっている第１のモジュールと、
処理ユニット及び通信ユニットを含む第２のモジュールと、
を備え、
第１のモジュールは、ワイヤを流れる電流を測定し、測定電流を第１の通信リンクを経由して処理ユニットに送るための手段をさらに備え、
処理ユニットは、第１のタイムトラッカーを備え、
処理ユニットは、測定電流が第１の所定閾値よりも大きい場合に第１のタイムトラッカーを増分する手段をさらに備え、通信ユニットは、第１のタイムトラッカー値を無線で送るようになっているＧＳＭ（登録商標）モジュールを備える。
【００１０】
処理ユニットが、電流が第１の所定閾値を上回る場合に第１のタイムトラッカーを増分する手段を含み、さらに第１のタイムトラッカー値がＧＳＭ（登録商標）モジュール経由で送られるので、本考案による電流センサは、実際には、非常に簡単な方法で重要な情報を失うリスク無しに、ＧＳＭ（登録商標）モジュールを経由して送られるデータ量を低減する。従って、全ての測定値を送る代わりに、電流センサは、機器を代表する値だけを送っている。
送られるデータ量が減るので、データ転送のためのＧＳＭ（登録商標）モジュールのエネルギ消費量も減る。
【００１１】
好ましくは、第１のタイムトラッカーは、測定電流が所定閾値を上回るときは常に増分される第１のカウンターを備える。
第１のカウンターを単純に増大させることで、本考案の電流センサの技術的要件が最低限になり、このことは、低い製造コスト、結果的には低い保守管理コストを意味する。
【００１２】
電流センサは、測定電流が所定閾値を上回るときは常に第１のカウンターを増分するので、本考案による電流センサは、電力ケーブルに接続した機器が機能している時間などのより複雑な分析を行うことを可能にする。従って、機器の稼働時間を非常に単純かつ利用しやすい方法で決定することができる。
【００１３】
電流センサがデータを送るためにＧＳＭ（登録商標）モジュールを使用するので、ネットワークの複雑性が非常に低くなる。このネットワークは、データを送る際のリピータ又は追加のゲートウェイを必要としない。本考案による電流センサは、データを外部コンピュータ又はクラウドに直接送ることができる。
【００１４】
さらに、電流センサのユーザは、データを受け取るために電流センサが接続された機器に接近する必要がない。
その結果、本電流センサの製造コスト、及びこの電流センサがデータを送るネットワークを提供して維持管理することに関連するコストがさらに低減する。
【００１５】
好ましくは、電流センサは、圧縮機、真空ポンプ、乾燥機などのグループから選ばれた機器の電力ケーブル上に取り付けられる。
【００１６】
現在、このような機器に関して、サービス手順の典型的な期間は、機器のタイプ及び使用される工業分野に応じて１年に１回又は２回に設定されている。この期間は、機器が所定の時間にわたり稼働したと確信された後の期間として選択される。しかし、本考案による電流センサを使用すると、このようなサービス手順は、実際の稼働時間で使用した場合に計画することができ、これはサービス手順を、例えば１年に１回又は２年毎に１回など、先延ばしすることができる。
結果的に、この機器のユーザが、継続的に長期にわたって機能するものとしてこれを信頼することができるので、サービスコストが低減し、機器の信頼性が高くなる。
【００１７】
電流センサはこのような構成なので、現場に技術者が来る必要なしに迅速かつ非侵襲的手法で電力ケーブル上に取り付けることができる。
【００１８】
好ましくは、第２のモジュールは、電力ケーブルから取り込んだ電気エネルギで充電されるようになっているコンデンサをさらに備える。コンデンサを含むことで、本考案による電流センサは電源内蔵式となる。
【００１９】
その結果、追加のワイヤ又はコネクタを必要とせず、電力ケーブルのワイヤの周りに単純にクランプして使用することができる。
【００２０】
本考案は、さらに圧縮機要素を駆動するモータとこのモータに電力を供給する電力ケーブルとを備える圧縮ガス供給網に関し、圧縮ガス供給網は、本考案による電流センサを備える。
【００２１】
また、本考案は、電力ケーブルのワイヤ部を流れる電流を測定することで、電力ケーブルに接続された電気モータによって駆動される機器の機能を決定する方法に関し、本方法は、
第１のモジュール及び第２のモジュールを備えるハウジングを有する電流センサを準備する段階と、
第１のモジュールを電力ケーブルのワイヤの周りにクランプする段階と、
第２のモジュールの一部に処理ユニット及び通信ユニットを準備する段階と、
ワイヤを流れる電流を測定して、第１の通信リンクを経由して測定電流を処理ユニットに送る段階と、
を含み、本方法は、
処理ユニットに第１のタイムトラッカーを準備する段階と、
測定電流を第１の所定閾値と比較して、測定電流が第１の所定閾値よりも大きい場合に第１のタイムトラッカーの第１のカウンターを増分する段階と、
をさらに含み、これにより本方法は
通信ユニットの一部のＧＳＭ（登録商標）モジュールを経由して第１のタイムトラッカー値を送る段階をさらに含む。
【００２２】
本考案は、圧縮機又は乾燥機の稼働時間を検出するために、本考案による電流センサを使用することに関する。
【００２３】
本考案との関連において、電流センサに関する上記の利点は、電流センサを備える圧縮機又は真空ポンプ、本方法及びこの電流センサの使用にも有効であることを理解されたい。
【００２４】
本考案の特徴をより良好に示すために、本考案による一部の好ましい構成は、添付図面を参照して非限定的に以下に例示的に示されている。
【図面の簡単な説明】
【００２５】
【図１】本考案の実施形態による電流センサを概略的に示す。
【図２】本考案の実施形態による第２のモジュールを概略的に示す。
【図３】電源コード上に取り付けられた本考案による電流センサを有する機器を概略的に示す。
【考案を実施するための形態】
【００２６】
図１は、第１のモジュール３及び第２のモジュール４を有するハウジング２を備える電流センサ１を示す。
第１のモジュール３は電力ケーブル５の周りにクランプされる。
【００２７】
電力ケーブル５は、例えば電力網又は発電機などの電力供給源からの電気エネルギを、例えば圧縮ガス乾燥機又は真空ポンプなどの機器に伝送して機器が機能するのを可能にする。
【００２８】
電力ケーブルの周りにクランプすることで、第１のモジュール３は、電力ケーブルのワイヤ部の外周を覆い、限定されるものではないが、例えばスナップ嵌め、ねじ、ボルト、クリップなどの固定要素などの何らかの手段によって、第２のモジュール４を第１のモジュール３上にねじ留めすること又は接着することなどで、所定位置にロック又は固定できることを理解されたい。
【００２９】
好ましくは、第１のモジュール３は、電源コード５の単一ワイヤの周りに、すなわち単相ケーブルに関する位相線の周り又は中性線の周りのいずれかにクランプされる。
電力ケーブル５が３相ケーブルの場合、電流センサ１は、３線のうちのいずれか１つに取り付けることができる。
【００３０】
第２のモジュール４は、処理ユニット６及び通信ユニット７を備える。
第１のモジュール３は、電力ケーブル５のワイヤ部を流れる電流を測定し、測定電流を第１の通信リンク８経由で処理ユニット６に送る手段をさらに備える。
【００３１】
電流を測定する手段によって、第１のモジュール３は、電力ケーブル５のワイヤ部を通過する電気信号を検出できることを意味し、この信号は、ワイヤ部を流れる電流の強度及び／又は電圧に関する情報を含む。さらに、この検出信号から、電流の強度値を得ることができる。
【００３２】
第１のモジュール３は、限定されるものではないが、例えば、ホール効果センサ、トランス又は電流クランプメータ、フラックスゲートトランス式センサ、ロゴスキーコイルなどを備える。
【００３３】
通信リンクに関して、これは例えば電気ワイヤのような導電体などの電気的接続、又はプリント基板（ＰＣＢ）上の電気的接続を意味する。通信モジュールが電気ワイヤを備える場合、この電気ワイヤは、一般に、両端にコネクタを備える。この通信リンクによって、２つの構成要素の間でデータを転送することができる。
【００３４】
さらに、通信リンクが無線式であることは排除されず、この場合、２つの構成要素の各々が送受信機を備えるか、又は一方の構成要素が送信機を備え、他方の構成要素が受信機を備える。
【００３５】
さらに処理ユニット６は第１のタイムトラッカーを備える。
好ましくは、この第１のタイムトラッカーは、電流センサ１が電力ケーブル５のワイヤ部の周りにクランプされる前に、ゼロ値をもつようにリセットされる。
しかしながら、この第１のタイムトラッカーが、ワイヤの周りにクランプされる前に異なる値から開始できることは排除されるべきではない。この値は、機器が実際にそれまで動作した時間又はその近似値を表す。
【００３６】
処理ユニット６は、測定電流強度を第１の所定閾値と比較する手段をさらに備え、その比較結果が、電流強度値が第１の所定閾値以上であることを示す場合、処理ユニットは、第１のタイムトラッカーの第１のカウンター部を増分する手段をさらに備える。
好ましくは、増分処理は、第１の所定値が加えられた第１のカウンターの最終値を考慮する。
この第１の所定値は、任意の値として選択され、又はこの第１の所定値は、２つの連続した電流測定の間の期間に等しい。
【００３７】
例として、限定されるものではないが、第１の所定値は、約１秒から約１０分の間、より好ましくは約５秒から約５分の間、さらに好ましくは約１０秒から約１分の間の任意の値として選択することができる。
好ましい実施形態において、限定されるものではないが、２つの最新の測定の間の期間は約１０秒となるように選択される。
【００３８】
その結果、比較結果が、電流強度が第１の所定閾値以上であることを示す場合、処理ユニットは、第１のカウンターの最終値に１０秒を加える。
これが最初の測定である場合、処理ユニットはゼロに１０秒を加え、後続のステップで使用されることになる第１のカウンターの新しい値は、１０秒になる。この処理は、第１のタイムトラッカーがリセットされるまで循環する。
好ましくは、第１のタイムトラッカーは、サービス手順の実行後にリセットされる。
【００３９】
さらに、通信ユニット７は、第１のタイムトラッカー値を無線で送るようになっているＧＳＭ（登録商標）モジュールを備える。
通信ユニット７は、処理ユニット６から第１のタイムトラッカー値を受け取る第２の通信リンク９を備える。
好ましくは、このＧＳＭ（登録商標）モジュールは、ＳＩＭカードをさらに備える。
【００４０】
好ましくは、限定されるものではないが、より小型で製造が容易な電流センサを得るために、ハウジング２は、第１のモジュール３及び第２のモジュール４を取り囲む。
さらに好ましくは、ハウジング２は、第１のモジュール３を電力ケーブル５のワイヤ部の周りに取り付けるのを容易にすることができる可動セクションを備える。
【００４１】
好ましくは、第２のモジュール４は、電力ケーブル５のワイヤ部から電気エネルギを取り込むようになっているエネルギ変換回路１０をさらに備える。
このエネルギ変換回路１０は、好ましくは、第１のモジュール３から信号を受け取ること及び取り込んだエネルギを増減することができる。
【００４２】
一般に、第１のモジュールは、該第１のモジュール３の一部の周りに第１のコイル巻き線を備え、これにより第１のモジュールは、ワイヤを通過する電流から生じた磁界を検出することができる。
【００４３】
さらに電流イメージは、エネルギ変換回路１０の変流器部分で誘導され、この電流イメージは、さらなる処理のために処理ユニット６に送られる。処理ユニット６は、受け取ったイメージから電流強度値を抽出する。
さらに、エネルギ変換回路１０は、電流イメージからエネルギを取り込むことができる。
従って、電流イメージは、例えば電流−電圧変換器を用いて電流を電圧に変換するのに使用される。
【００４４】
さらに、エネルギ変換回路１０は、好ましくは電圧変調技術を利用してコンデンサ１１を充電する。電圧変調技術は、ＡＣ（交流）−ＤＣ（直流）及び／又はＤＣ（直流）−ＤＣ（直流）変換器を備える。
好ましくは、電圧レベルは他の電圧レベルに変更され、次に、エネルギは第２のモジュール４の一部のコンデンサ１１に送られてこれを充電する。
【００４５】
エネルギ変換回路１０は、好ましくは必要な量のエネルギを第１の通信リンク８を介して処理ユニット６に供給する。
エネルギ変換回路１０は、第３の通信リンク１２を介してコンデンサ１１に接続される。
【００４６】
本考案による好ましい実施形態において、コンデンサ１１は、ＧＳＭ（登録商標）モジュールが第１のタイムトラッカー値を無線で送るのに必要なエネルギを供給するようになっている。
このコンデンサ１１は、充電後、好ましくは第１のタイムトラッカー値を無線で送るのに必要なエネルギを通信ユニット７に供給する。
従って、本考案の電流センサは電源内蔵式であり、ユーザはこれを電源コードにクランプするだけでよい。
【００４７】
好ましくは、コンデンサの充電を可能にするために、本考案による電流センサは、第１のタイムトラッカーの第１の値が送られる前の、機器が機能している間の最小期間で、ワイヤの周りにクランプすることができる。
【００４８】
コンデンサ１１は、任意のタイプのコンデンサとして選択される。好ましくは、このコンデンサは、一般に圧縮機、真空ポンプ、又は乾燥機から発生する温度及び振動に耐性があり、作動寿命が長いタイプである。
これらのコンデンサに関して、本考案の電流センサ１は、ＧＳＭ（登録商標）モジュールを介してデータを送るのに十分なエネルギを供給することができる、例えば、限定されるものではないが、１ファラッドから２０ファラッド、より好ましくは１０ファラッドから１５ファラッドの間で選択された容量のコンデンサなどの、任意のコンデンサ１１を使用することができる。
【００４９】
本考案による他の実施形態において、第２のモジュール４は、処理ユニット６へのデータリンクを備えかつ第１のタイムトラッカー値を記憶するようになっているメモリモジュール（図示せず）をさらに備える。
従って、電流センサ１は、ユーザの要求に応じて、設定時間間隔の後で第１のタイムトラッカー値を送ることができる。
この設定時間間隔は、例えば数時間又は数日の間で選択された任意の時間間隔として選択される。
【００５０】
好ましい実施形態において、限定されるものではないが、この設定時間間隔は２４時間に一度として選択される。
この手法は、電流強度の全ての測定の後に無線通信が始まるのではなくこの設定時間間隔の後に始まるので、エネルギ消費量がさらに低減する。
【００５１】
好ましくは、無線通信が始まると、通信ユニットは第１のタイムトラッカーの最終値を送る。
必要な場合、ユーザは測定順に第１のタイムトラッカー値の全てを読み出すことができる。
この手法は、機器の使用形態を示すことができる。
【００５２】
このメモリモジュールは、任意のメモリモジュールであり、好ましくは、限定されるものではないが、このメモリモジュールは、非揮発性タイプである。
他の好ましい実施形態において、限定されるものではないが、メモリモジュールは、設定時間間隔の間に測定した第１のタイムトラッカー値の全てを記憶する能力がある。
【００５３】
本考案による他の実施形態において、無線通信ユニット７は、第１のタイムトラッカー値を中央制御装置、クラウド又は外部デバイスに送ることができる。
本考案による他の好ましい実施形態において、このメモリモジュールが一杯になると、通信ユニット７は全ての記憶値を中央制御装置、クラウド又は外部デバイスに送り、メモリモジュールをリセットすることができる。
好ましくは、これは第１のタイムトラッカーの最終値を保持することができる。
【００５４】
本考案による１つの実施形態において、限定されるものではないが、メモリモジュールの寿命を延ばすために、メモリモジュールは、あらゆるリセットの後でデータを異なるセクションに書き込むようになっている。
このような手法を採用することで、各セクションは、損傷から保護されると共に、設定時間間隔に達する前に一杯にならないことが保証される。
【００５５】
本考案による他の実施形態において、通信ユニット７は、コンデンサ１１が完全に充電（ｌｏａｄｅｄ）されると、記憶した第１のタイムトラッカー値を中央制御装置、クラウド又は外部デバイスに送ることができる。
【００５６】
本考案によるさらに他の実施形態において、第１のタイムトラッカーは、第２のカウンターをさらに備える。この第２のカウンターは、機器が無負荷状態にある時間を追跡することができる。
従って、測定電流強度が第１の所定閾値以下であるがゼロではない場合、第２のカウンターは増分される。測定電流強度がゼロに等しい場合、処理ユニット６は、好ましくは、いずれのカウンターも増分しないことになる。
【００５７】
好ましくは、第２のカウンターは、第２の所定値が加えられる第２のカウンターの最終値を考慮して、第１のカウンターと同じ方法で増分される。この第２の所定値は、好ましくは、第１の所定値と同じである。
しかしながら、第２の所定値が第１の所定値とは異なる値をもつように選択されることは排除されない。
【００５８】
典型的に、圧縮機又は真空ポンプは、この圧縮機又は真空ポンプが非常に低速で稼働しておりかつ圧縮機又は真空ポンプが接続されるネットワーク上の要求が非常に低いか又は無い場合、無負荷状態と見なされる。
典型的に、圧縮機又は真空ポンプが約２０％の公称出力で稼働している場合に無負荷状態と見なされる。
【００５９】
さらに、この第１の所定値及び／又はこの第２の所定値が、サービスが機器で実行されることが望ましいが測定周期とは異なる時点を示す数又は文字として選択されることは排除されるべきではない。
【００６０】
本考案による他の好ましい実施形態において、通信ユニット７は、通信が始まるとすぐに第１のカウンター及び第２のカウンターの最新値を送るようになっている。
さらに他の好ましい実施形態において、第１のタイムトラッカーは、好ましくは、限定されるものではないが、各電流測定の後で第１のカウンターの値に第２のカウンターの値を加えることができる。
【００６１】
好ましくは、合計結果は、メモリモジュールに記憶されて通信ユニット７を経由して送られる。
合計値は、機器の全稼働時間を示す。
【００６２】
本考案による別の実施形態において、通信ユニット７は、最新の合計値、及び少なくとも第１のカウンター値又は第２のカウンター値の何れかを送るようになっている。
しかしながら、第１のカウンター値又は第２のカウンター値の両方を一緒に合計結果と共に送ることは排除されるべきではない。
【００６３】
第１のカウンター及び第２のカウンターは、第１のタイムトラッカーの２つのソフトウェア変数である。第１のカウンターは、機器が負荷状態に維持される間の時間を示し、第２のカウンターは、機器が無負荷状態に維持される間の時間を示す。本考案による他の実施形態において、第２のモジュール４は、第２のタイムトラッカーを備える。
この第２のタイムトラッカーは、設定時間間隔の後で電流センサ１が第１のタイムトラッカー値を送るのを保証するための追加のチェックを可能にする。
【００６４】
この第２のタイムトラッカーは、読み出しを行い、実際の昼間を検索するか又は設定時間間隔が起きた後の通信時間毎にリセットされ、この設定時間間隔の追跡を行う。
【００６５】
本考案による他の実施形態において、限定されるものではないが、電流センサ１は、設定時間間隔の後で第１のタイムトラッカーの最新値を送ること、及び／又はコンデンサ１１が完全に充電された場合にメモリモジュールに記憶された全ての第１のタイムトラッカー値を送ることができる。
本考案によるさらに他の実施形態において、通信ユニット７は、中央制御装置、クラウド又は外部デバイスへの最後の通信に続いて、記憶された第１のタイムトラッカー値だけを送ることができ、データの重複を避ける。
【００６６】
好ましくは、限定されるものではないが、通信ユニット７は、全稼働時間を示す合計結果、並びに第１のカウンター値又は第２のカウンター値の２つのうちの少なくとも一方を中央制御装置、クラウド又は外部デバイスに送ることができる。
【００６７】
本考案による好ましい実施形態によれば、本考案による電流センサ１は、バッテリモジュールを備えていない。
本考案の実施形態によれば、本考案による電流センサ１は、機器を保持するハウジング（図示せず）の内部又は当該ハウジングの外部のいずれかに取り付けることができる。
これにより、本考案による電流センサ１は、目に見えてアクセスが容易である。
【００６８】
本考案による電流センサ１は、各種圧縮機、真空ポンプ又は乾燥機に取り付けるのに適している。
本考案による他の実施形態において、電流センサ１は、圧縮ガス供給網１３の電源コード５に取り付けることができる（図３）。この圧縮ガス供給網１３は、定速電気モータ又は可変速電気モータによって駆動される圧縮機要素を備える。
電気モータは電気配線を備え、この電気配線によって電力網又は発電機からの電気エネルギが供給される。この電気配線は、電力ケーブル５に直接又は間接的に接続される。
【００６９】
本考案との関連において、圧縮ガス供給網１３は、完全な圧縮機設備であり、圧縮機要素、全ての典型的な接続パイプ及びバルブ、圧縮機のハウジング、及び場合によっては圧縮機要素を駆動するモータを含むことを理解されたい。
本考案との関連において、圧縮機要素は、ロータ又は往復運動によって内部で圧縮プロセス起こる圧縮機要素ケーシングとして理解されたい。
本考案との関連において、この圧縮機要素は、スクリュー式、歯車式、クロー式、スクロール式、ローターリベーン式、遠心式、ピストン式などを含むグループから選択することができる。
【００７０】
本考案による他の実施形態において、圧縮ガス供給網１３は、圧縮ガス乾燥機を備えることができる。圧縮ガス乾燥機は、モータに接続された電気ワイヤ又は乾燥機に制御装置部分に接続された電気ワイヤを備える。
従って、本考案の電流センサは、モータの電気ワイヤ上に又制御装置の電気ワイヤ上に取り付けること及び圧縮ガス乾燥機の稼働時間をカウントすることができる。
【００７１】
本考案による他の実施形態において、圧縮ガス供給網１３が２又は３以上の機器を備える場合（図示せず）、各々は電気ワイヤを有するモータを備えるか、又は単純にそれらのそれぞれの電気回路に電気エネルギを供給する電気ワイヤを備える。本考案による電流センサ１は、これらの電気ワイヤの各々に取り付けること及びそれぞれの機器の稼働時間をカウントすることができる。
好ましくは、電流センサ１は、２キロワットから２２キロワットの電力範囲を有する圧縮機、真空ポンプ又は乾燥機の電力ケーブルのワイヤ上に取り付けられる。
【００７２】
当該機器は、一般に低電力範囲であり、例えば、限定されるものではないが、空気動力工具に電力を供給する専門店、家庭、又は産業環境に見出される。
しかしながら、この電流センサ１を高電力範囲の機器に使用することは排除されるべきではない。
しかしながら、本考案による電流センサ１は、ＨＶＡＣシステムの電力ケーブルのワイヤ上に取り付けることは意図されていないことを理解されたい。
【００７３】
電力特性が異なる種々の機器上への非常に簡単な取り付けを助けるために、本考案による電流センサ１は、複数の事前設定ポートを有するディップスイッチ（図示せず）をさらに備え、一般に事前設定ポートの各々は、種々の圧縮機、乾燥機又は真空ポンプに使用される。
本考案による実施形態において、各ポートは、好ましくは、圧縮機、乾燥機又は真空ポンプの特定のタイプに特徴的な第１の所定閾値を備える。
【００７４】
ディップスイッチ上のポートが選択されると、電流センサ１は、このポートに関連する第１の所定閾値を読み出して、これを用いて測定電流強度と比較することになる。
本考案による他の実施形態において、電流センサ１は、温度センサを備えることができ、ユーザは、機器が機能している環境に関するデータ又は機器自体の温度に関するデータを読み出すことが可能になる。
【００７５】
電流センサ１は、機器に取り付けられたセンサから無線通信によって情報を受け取り、機器のより詳細な分析を行うことをさらに可能にする。
従って、本考案による電流センサ１のユーザは、エネルギ消費量、機器の連続稼働時間、次の計画的保守管理などの機器の機能パターンに関連するデータだけでなく、この機器の機能性能に影響を与える可能性がある他のパラメータ（例えば、大気温度、機器の種々の箇所の温度、又は場合によっては湿度や露点）に関する情報を読み出すことができる。
【００７６】
電流センサ１の機能は非常に単純であり以下の通りである、
電流センサ１は、圧縮機又は真空ポンプなどの機器の電力ケーブル５のワイヤ部の周りにクランプされ、電力ケーブル５のワイヤを流れる電流が測定され、この測定電流は、第１の通信リンク８を経由して処理ユニット６に送られる。
電流測定値は、処理ユニット６に送られる前に所定の値に変換することができ、又はこの処理ユニットはこの測定値を受け取った後で所定の値に変換することができる。
【００７７】
さらに、処理ユニットは、測定電流強度を第１の所定閾値と比較し、測定電流強度が第１の所定閾値を上回る場合、第１のタイムトラッカーの第１のカウンターを増分する。第１のタイムトラッカー値は、ＧＳＭ（登録商標）モジュール経由で中央制御装置、クラウド又は外部デバイスに送られる。
この外部デバイスは、例えば、限定されるものではないが、外部ハードドライブ、コンピュータ、タブレット、電話、携帯情報端末（ＰＤＡ）などの任意のデバイスとすることができる。
好ましくは、この外部デバイスは、ＧＳＭ（登録商標）タイプ接続を経由してデータを受け取ることができる。
【００７８】
処理ユニット６は、好ましくは、マイクロプロセッサを備える（図示せず）。このマイクロプロセッサは、典型的に、非常に低電力で低コストであり、比較及び上記の各ステップを実行することができる。
好ましくは、電流センサ１は、ＧＳＭ（登録商標）モジュールに提供された固有コードで識別することができ、例えば、限定されるものではないが、Ｉｎｔｅｒｎａｔｉｏｎａｌ  Ｍｏｂｉｌｅ  Ｅｑｕｉｐｍｅｎｔ  Ｉｄｅｎｔｉｔｙ  （ＩＭＥＩ）コード、又はＩｎｔｅｇｒａｔｅｄ  Ｃｉｒｃｕｉｔ  Ｃａｒｄ  Ｉｄｅｎｔｉｆｉｅｒ  （ＩＣＣＩＤ）又は何らかの他のタイプのコードである。
【００７９】
本考案による他の実施形態において、各機器は、Ｑｕｉｃｋ  Ｒｅｓｐｏｎｓｅ  （ＱＲ）コードを備えることができる。
本考案による実施形態において、本考案による電流センサ１のユーザは、ウェブサイトにアクセスして、ＩＭＥＩコードなどの固有コードで機器を特定すること及び／又はＱＲコード（登録商標）をスキャンすることで、又はこのＱＲコード（登録商標）をスキャンして電流センサ１に問い合わせることで、クラウドから又は電流センサから直接、第１のカウンター及び／又は第２のカウンターの最新値に関する情報を読み出すことができる。
【００８０】
好ましくは、本考案による方法は、所定の時間間隔の間で電流センサ１のための初期設定段階を実行することを含み、電流センサ１が通常の機能状態に達するのを可能にする。
好ましくは、各測定の間で、エネルギを保存するために、電流センサ１はスリープモードになる。
本方法は、電力ケーブルから電気エネルギを取り込み、第２のモジュール４の一部のコンデンサ１１を充電することを含む。典型的に、初期設定段階の後で、電流センサ１は、ＧＳＭ（登録商標）モジュール経由での無線通信を開始するのに十分なエネルギでもってコンデンサ１１を充電することになる。
【００８１】
本考案による実施形態において、限定されるものではないが、この初期設定段階は、２時間から２４時間、より好ましくは２時間から１５時間、さらに好ましくは２時間から８時間の間から選択した任意の値として選択することができる。
典型的に、コンデンサ１１は、約８時間後に完全に充電されるか又はほぼ完全に充電されることになる。
【００８２】
本考案による他の実施形態において、本方法は、第２のモジュール４の一部のディップスイッチのポートを事前設定するステップを含み、各ポートが第１の所定閾値を有するようになっている。
本考案による電流センサ１のユーザは、必要なポートを選択して電流センサ１をワイヤ上に取り付けるだけでよい。このようにすることで、電流センサ１は、使用される特定の圧縮機又は真空ポンプに適合する。
【００８３】
本考案による１つの実施形態において、クラウド又は外部デバイスに送られる第１のカウンター値及び／又は第２のカウンター値は、ユーザが機器の保守管理を計画するのを助けるために監視される。
さらに、例えば、限定されるものではないが、ユーザの要求に応じて１ヶ月、２ヶ月、又は数週間などの所定の期間内に値を受け取らなかった場合、機器がオフになっていることを知らせる警報信号をユーザに送ることができる。
【００８４】
警報信号は、中央制御装置、クラウド、又はユーザが監視する外部デバイスに送られる。
この警報信号は、携帯電話に送られるテキストメッセージでもある。
従って、機器が所定時間にわたってオフになっている場合、コンデンサ１１は空になる可能性があり、一旦オンになると、電流センサ１は、妥当な充電状態に達するために最低限の時間を必要とすることになる。
【００８５】
試験は、コンデンサ１１が完全に空になり得る場合、電流センサ１が再度機能できるのに約２時間を必要とするであろうことを示した。
さらに、好ましくは、機器が再始動すると、最終合計値、第１のカウンター値及び／又は第２のカウンター値はメモリモジュールから読み出される。
最後に送られた合計値、第１のカウンター値及び／又は第２のカウンター値は、中央制御装置、クラウド、又は外部コンピュータから読み出すことができる。
【００８６】
電流センサ１及び／又はこのような電流センサ１を備える圧縮ガス供給網のデザインに応じて、この電流センサ１及び／又はこの圧縮ガス供給網は、本考案の範疇から逸脱することなく何らかの組み合わせで本明細書に示す技術的特徴の一部又は全てを備えることができる。
技術的特徴に関して、これは、少なくとも、ハウジング２、第１のモジュール３、第２のモジュール４、処理ユニット６、通信ユニット７、コンデンサ１１、ハウジング２の可動セクション、エネルギ変換回路１０、第３の通信リンク１２、メモリモジュール、第１のタイムトラッカー、第１のカウンター、第２のカウンター、設定時間間隔の後で値を送ること、第２のタイムトラッカー、ディップスイッチ、温度センサ、マイクロプロセッサ、ＳＩＭカード、初期設定段階、スリープモード、ディップスイッチの事前設定ポートなどを意味する。
【００８７】
本考案は、実施例として記載され図面に示された実施形態に限定されるものではなく、この電流センサ１は、本考案の範疇から逸脱することなく全ての変形形態で実現することができる。
【符号の説明】
【００８８】
１  電流センサ
２  ハウジング
３  第１のモジュール
４  第２のモジュール
５  電力ケーブル
６  処理ユニット
７  通信ユニット
８  第１の通信リンク
９  第２の通信リンク
１０  エネルギ変換回路
１１  コンデンサ
１２  第３の通信リンク
【図１】
0003225561.tif 000003
【図２】
0003225561.tif 000004
【図３】
0003225561.tif 000005
【手続補正書】
【提出日】令和2年1月16日(2020.1.16)
【手続補正１】
【補正対象書類名】実用新案登録請求の範囲
【補正対象項目名】全文
【補正方法】変更
【補正の内容】
【実用新案登録請求の範囲】
【請求項１】
ハウジング（２）を備える電流センサであって、前記ハウジング（２）は、  電力ケーブル（５）のワイヤの周りにクランプされるようになっている第１のモジュール（３）と、  処理ユニット（６）及び通信ユニット（７）を含む第２のモジュール（４）と、を備え、  前記第１のモジュール（３）は、ワイヤを流れる電流を測定し、測定電流を第１の通信リンク（８）を経由して前記処理ユニット（６）に送るための手段をさらに備え、  前記処理ユニット（６）は、第１のタイムトラッカーを備え、  前記処理ユニット（６）は、前記測定電流が第１の所定閾値よりも大きい場合に前記第１のタイムトラッカーを増分する手段をさらに備え、前記通信ユニット（７）は、前記第１のタイムトラッカー値を無線で送るようになっているＧＳＭ方式のモジュールを備えることを特徴とする電流センサ。
【請求項２】
前記ハウジング（２）は、前記第１のモジュール（３）及び前記第２のモジュール（４）を取り囲む、請求項１に記載の電流センサ。
【請求項３】
前記第２のモジュール（４）は、前記電力ケーブル（５）から電気エネルギを取り込むようになっているエネルギ変換回路（１０）をさらに備える、請求項１又は２に記載の電流センサ。
【請求項４】
前記第２のモジュール（４）は、前記取り込まれた電気エネルギによって充電されるようになっているコンデンサ（１１）をさらに備える、請求項１乃至３の何れか１項に記載の電流センサ。
【請求項５】
前記コンデンサ（１１）は、前記第１のタイムトラッカー値を無線で送るために前記ＧＳＭ方式のモジュールに必要であるエネルギを供給するようになっている、請求項４に記載の電流センサ。
【請求項６】
前記第２のモジュール（４）は、前記処理ユニット（６）へのデータリンクを含み、前記第１のタイムトラッカー値を記憶するようになっているメモリモジュールをさらに備える、請求項１乃至５の何れか１項に記載の電流センサ。
【請求項７】
前記第２のモジュール（４）は、第２のタイムトラッカーを備える、請求項１乃至６の何れか１項に記載の電流センサ。
【請求項８】
バッテリモジュールを備えていない、請求項１乃至７の何れか１項に記載の電流センサ。
【請求項９】
圧縮機要素を駆動するモータと、前記モータに電力を供給する電力ケーブルとを備える圧縮ガス供給網であって、請求項１乃至８の何れか１項に記載の電流センサ（１）を備える圧縮ガス供給網（１３）。
【手続補正２】
【補正対象書類名】明細書
【補正対象項目名】全文
【補正方法】変更
【補正の内容】
【考案の詳細な説明】
【技術分野】
【０００１】  本考案はハウジングを備える電流センサに関し、このハウジングは、−電力ケーブルのワイヤの周りにクランプされるようになっている第１のモジュールと、−処理ユニット及び通信ユニットを備える第２のモジュールと、を備え、−第１のモジュールは、ワイヤを流れる電流を測定して、測定電流を第１の通信リンクを介して処理ユニットに送る手段をさらに備え、−処理ユニットは、第１のタイムトラッカーを備える。
【背景技術】
【０００２】  電流検出装置は、例えば米国特許公開第２０１５／１３７，５９６号に開示されるような産業分野で使用される。この装置は、ケーブルを流れる電流を測定し、インターネット網を介して測定値を管理システムに送る。この装置は、ケーブルから取り込んだエネルギをスイッチ及び負荷バランシング決定手段に基づいて複数の貯蔵デバイスに送ることができる制御ユニットをさらに備える。【０００３】  上記の装置は、単一の機器上の電流を検出すための最も単純でコスト効果の高い解決策ではない。【０００４】  さらに、この装置は測定電流を送るので、機能するには大量のエネルギを必要とする。そのために、上記の装置は、複数のエネルギ貯蔵ユニットを備え、装置の製造および潜在的サービスコストが高くなる。【０００５】  さらに、全ての測定値は管理システムに送られるので、上記の装置は、追加の処理なしで、ケーブルに接続されたユニットの機能に関する何らかの情報を提供することができない。この装置のユーザは、管理システムから関連情報を取り出すために、管理システムに問い合わせして生データを分析する必要があるであろう。このような手順は、データ量が大きくなりやすいので面倒になっている。
【先行技術文献】
【特許文献】
【０００６】
【特許文献１】米国特許公開第２０１５／１３７，５９６号
【考案の概要】
【考案が解決しようとする課題】
【０００７】  上記の問題点を考慮して、本考案の目的は、単純な接続形態で、最小の構成要素で追加のケーブル配線又は組み込まれるサービス手順を必要としない電流センサを提供することである。
【課題を解決するための手段】
【０００８】  本考案による電流センサは、電力ケーブルに接続した機器の機能に関する情報を提供して、ユーザが自身の特定の使用パターンに基づいてサービス手順を計画するタイミングを特定するのを助けることを目的とする。  本考案は、製造が容易でコスト効果が高く、さらに全ての地理的領域に配置可能な電流センサを提供することを目的とする。【０００９】  本考案は、ハウジングを備える電流センサを提供することで上記の及び／又は他の問題点のうちの少なくとも１つを解決し、このハウジングは、  電力ケーブルのワイヤの周りにクランプされるようになっている第１のモジュールと、  処理ユニット及び通信ユニットを含む第２のモジュールと、を備え、  第１のモジュールは、ワイヤを流れる電流を測定し、測定電流を第１の通信リンクを経由して処理ユニットに送るための手段をさらに備え、  処理ユニットは、第１のタイムトラッカーを備え、  処理ユニットは、測定電流が第１の所定閾値よりも大きい場合に第１のタイムトラッカーを増分する手段をさらに備え、通信ユニットは、第１のタイムトラッカー値を無線で送るようになっているＧＳＭ方式のモジュールを備える。【００１０】  処理ユニットが、電流が第１の所定閾値を上回る場合に第１のタイムトラッカーを増分する手段を含み、さらに第１のタイムトラッカー値がＧＳＭ方式のモジュール経由で送られるので、本考案による電流センサは、実際には、非常に簡単な方法で重要な情報を失うリスク無しに、ＧＳＭ方式のモジュールを経由して送られるデータ量を低減する。従って、全ての測定値を送る代わりに、電流センサは、機器を代表する値だけを送っている。  送られるデータ量が減るので、データ転送のためのＧＳＭ方式のモジュールのエネルギ消費量も減る。【００１１】  好ましくは、第１のタイムトラッカーは、測定電流が所定閾値を上回るときは常に増分される第１のカウンターを備える。  第１のカウンターを単純に増大させることで、本考案の電流センサの技術的要件が最低限になり、このことは、低い製造コスト、結果的には低い保守管理コストを意味する。【００１２】  電流センサは、測定電流が所定閾値を上回るときは常に第１のカウンターを増分するので、本考案による電流センサは、電力ケーブルに接続した機器が機能している時間などのより複雑な分析を行うことを可能にする。従って、機器の稼働時間を非常に単純かつ利用しやすい方法で決定することができる。【００１３】  電流センサがデータを送るためにＧＳＭ方式のモジュールを使用するので、ネットワークの複雑性が非常に低くなる。このネットワークは、データを送る際のリピータ又は追加のゲートウェイを必要としない。本考案による電流センサは、データを外部コンピュータ又はクラウドに直接送ることができる。【００１４】  さらに、電流センサのユーザは、データを受け取るために電流センサが接続された機器に接近する必要がない。  その結果、本電流センサの製造コスト、及びこの電流センサがデータを送るネットワークを提供して維持管理することに関連するコストがさらに低減する。【００１５】  好ましくは、電流センサは、圧縮機、真空ポンプ、乾燥機などのグループから選ばれた機器の電力ケーブル上に取り付けられ��。【００１６】  現在、このような機器に関して、サービス手順の典型的な期間は、機器のタイプ及び使用される工業分野に応じて１年に１回又は２回に設定されている。この期間は、機器が所定の時間にわたり稼働したと確信された後の期間として選択される。しかし、本考案による電流センサを使用すると、このようなサービス手順は、実際の稼働時間で使用した場合に計画することができ、これはサービス手順を、例えば１年に１回又は２年毎に１回など、先延ばしすることができる。  結果的に、この機器のユーザが、継続的に長期にわたって機能するものとしてこれを信頼することができるので、サービスコストが低減し、機器の信頼性が高くなる。【００１７】  電流センサはこのような構成なので、現場に技術者が来る必要なしに迅速かつ非侵襲的手法で電力ケーブル上に取り付けることができる。【００１８】  好ましくは、第２のモジュールは、電力ケーブルから取り込んだ電気エネルギで充電されるようになっているコンデンサをさらに備える。コンデンサを含むことで、本考案による電流センサは電源内蔵式となる。【００１９】  その結果、追加のワイヤ又はコネクタを必要とせず、電力ケーブルのワイヤの周りに単純にクランプして使用することができる。【００２０】  本考案は、さらに圧縮機要素を駆動するモータとこのモータに電力を供給する電力ケーブルとを備える圧縮ガス供給網に関し、圧縮ガス供給網は、本考案による電流センサを備える。【００２１】  また、本考案は、電力ケーブルのワイヤ部を流れる電流を測定することで、電力ケーブルに接続された電気モータによって駆動される機器の機能を決定する方法に関し、本方法は、  第１のモジュール及び第２のモジュールを備えるハウジングを有する電流センサを準備する段階と、  第１のモジュールを電力ケーブルのワイヤの周りにクランプする段階と、  第２のモジュールの一部に処理ユニット及び通信ユニットを準備する段階と、  ワイヤを流れる電流を測定して、第１の通信リンクを経由して測定電流を処理ユニットに送る段階と、を含み、本方法は、  処理ユニットに第１のタイムトラッカーを準備する段階と、  測定電流を第１の所定閾値と比較して、測定電流が第１の所定閾値よりも大きい場合に第１のタイムトラッカーの第１のカウンターを増分する段階と、をさらに含み、これにより本方法は  通信ユニットの一部のＧＳＭ方式のモジュールを経由して第１のタイムトラッカー値を送る段階をさらに含む。【００２２】  本考案は、圧縮機又は乾燥機の稼働時間を検出するために、本考案による電流センサを使用することに関する。【００２３】  本考案との関連において、電流センサに関する上記の利点は、電流センサを備える圧縮機又は真空ポンプ、本方法及びこの電流センサの使用にも有効であることを理解されたい。【００２４】  本考案の特徴をより良好に示すために、本考案による一部の好ましい構成は、添付図面を参照して非限定的に以下に例示的に示されている。
【図面の簡単な説明】
【００２５】
【図１】本考案の実施形態による電流センサを概略的に示す。
【図２】本考案の実施形態による第２のモジュールを概略的に示す。
【図３】電源コード上に取り付けられた本考案による電流センサを有する機器を概略的に示す。
【考案を実施するための形態】
【００２６】  図１は、第１のモジュール３及び第２のモジュール４を有するハウジング２を備える電流センサ１を示す。  第１のモジュール３は電力ケーブル５の周りにクランプされる。
【００２７】  電力ケーブル５は、例えば電力網又は発電機などの電力供給源からの電気エネルギを、例えば圧縮ガス乾燥機又は真空ポンプなどの機器に伝送して機器が機能するのを可能にする。
【００２８】  電力ケーブルの周りにクランプすることで、第１のモジュール３は、電力ケーブルのワイヤ部の外周を覆い、限定されるものではないが、例えばスナップ嵌め、ねじ、ボルト、クリップなどの固定要素などの何らかの手段によって、第２のモジュール４を第１のモジュール３上にねじ留めすること又は接着することなどで、所定位置にロック又は固定できることを理解されたい。
【００２９】  好ましくは、第１のモジュール３は、電源コード５の単一ワイヤの周りに、すなわち単相ケーブルに関する位相線の周り又は中性線の周りのいずれかにクランプされる。  電力ケーブル５が３相ケーブルの場合、電流センサ１は、３線のうちのいずれか１つに取り付けることができる。
【００３０】  第２のモジュール４は、処理ユニット６及び通信ユニット７を備える。  第１のモジュール３は、電力ケーブル５のワイヤ部を流れる電流を測定し、測定電流を第１の通信リンク８経由で処理ユニット６に送る手段をさらに備える。
【００３１】  電流を測定する手段によって、第１のモジュール３は、電力ケーブル５のワイヤ部を通過する電気信号を検出できることを意味し、この信号は、ワイヤ部を流れる電流の強度及び／又は電圧に関する情報を含む。さらに、この検出信号から、電流の強度値を得ることができる。
【００３２】  第１のモジュール３は、限定されるものではないが、例えば、ホール効果センサ、トランス又は電流クランプメータ、フラックスゲートトランス式センサ、ロゴスキーコイルなどを備える。
【００３３】  通信リンクに関して、これは例えば電気ワイヤのような導電体などの電気的接続、又はプリント基板（ＰＣＢ）上の電気的接続を意味する。通信モジュールが電気ワイヤを備える場合、この電気ワイヤは、一般に、両端にコネクタを備える。この通信リンクによって、２つの構成要素の間でデータを転送することができる。
【００３４】  さらに、通信リンクが無線式であることは排除されず、この場合、２つの構成要素の各々が送受信機を備えるか、又は一方の構成要素が送信機を備え、他方の構成要素が受信機を備える。
【００３５】  さらに処理ユニット６は第１のタイムトラッカーを備える。  好ましくは、この第１のタイムトラッカーは、電流センサ１が電力ケーブル５のワイヤ部の周りにクランプされる前に、ゼロ値をもつようにリセットされる。  しかしながら、この第１のタイムトラッカーが、ワイヤの周りにクランプされる前に異なる値から開始できることは排除されるべきではない。この値は、機器が実際にそれまで動作した時間又はその近似値を表す。
【００３６】  処理ユニット６は、測定電流強度を第１の所定閾値と比較する手段をさらに備え、その比較結果が、電流強度値が第１の所定閾値以上であることを示す場合、処理ユニットは、第１のタイムトラッカーの第１のカウンター部を増分する手段をさらに備える。  好ましくは、増分処理は、第１の所定値が加えられた第１のカウンターの最終値を考慮する。  この第１の所定値は、任意の値として選択され、又はこの第１の所定値は、２つの連続した電流測定の間の期間に等しい。
【００３７】  例として、限定されるものではないが、第１の所定値は、約１秒から約１０分の間、より好ましくは約５秒から約５分の間、さらに好ましくは約１０秒から約１分の間の任意の値として選択することができる。  好ましい実施形態において、限定されるものではないが、２つの最新の測定の間の期間は約１０秒となるように選択される。
【００３８】  その結果、比較結果が、電流強度が第１の所定閾値以上であることを示す場合、処理ユニットは、第１のカウンターの最終値に１０秒を加える。  これが最初の測定である場合、処理ユニットはゼロに１０秒を加え、後続のステップで使用されることになる第１のカウンターの新しい値は、１０秒になる。この処理は、第１のタイムトラッカーがリセットされるまで循環する。  好ましくは、第１のタイムトラッカーは、サービス手順の実行後にリセットされる。
【００３９】  さらに、通信ユニット７は、第１のタイムトラッカー値を無線で送るようになっているＧＳＭ方式のモジュールを備える。  通信ユニット７は、処理ユニット６から第１のタイムトラッカー値を受け取る第２の通信リンク９を備える。  好ましくは、このＧＳＭ方式のモジュールは、ＳＩＭカードをさらに備える。
【００４０】  好ましくは、限定されるものではないが、より小型で製造が容易な電流センサを得るために、ハウジング２は、第１のモジュール３及び第２のモジュール４を取り囲む。  さらに好ましくは、ハウジング２は、第１のモジュール３を電力ケーブル５のワイヤ部の周りに取り付けるのを容易にすることができる可動セクションを備える。
【００４１】  好ましくは、第２のモジュール４は、電力ケーブル５のワイヤ部から電気エネルギを取り込むようになっているエネルギ変換回路１０をさらに備える。  このエネルギ変換回路１０は、好ましくは、第１のモジュール３から信号を受け取ること及び取り込んだエネルギを増減することができる。
【００４２】  一般に、第１のモジュールは、該第１のモジュール３の一部の周りに第１のコイル巻き線を備え、これにより第１のモジュールは、ワイヤを通過する電流から生じた磁界を検出することができる。
【００４３】  さらに電流イメージは、エネルギ変換回路１０の変流器部分で誘導され、この電流イメージは、さらなる処理のために処理ユニット６に送られる。処理ユニット６は、受け取ったイメージから電流強度値を抽出する。  さらに、エネルギ変換回路１０は、電流イメージからエネルギを取り込むことができる。  従って、電流イメージは、例えば電流−電圧変換器を用いて電流を電圧に変換するのに使用される。
【００４４】  さらに、エネルギ変換回路１０は、好ましくは電圧変調技術を利用してコンデンサ１１を充電する。電圧変調技術は、ＡＣ（交流）−ＤＣ（直流）及び／又はＤＣ（直流）−ＤＣ（直流）変換器を備える。  好ましくは、電圧レベルは他の電圧レベルに変更され、次に、エネルギは第２のモジュール４の一部のコンデンサ１１に送られてこれを充電する。
【００４５】  エネルギ変換回路１０は、好ましくは必要な量のエネルギを第１の通信リンク８を介して処理ユニット６に供給する。  エネルギ変換回路１０は、第３の通信リンク１２を介してコンデンサ１１に接続される。
【００４６】  本考案による好ましい実施形態において、コンデンサ１１は、ＧＳＭ方式のモジュールが第１のタイムトラッカー値を無線で送るのに必要なエネルギを供給するようになっている。  このコンデンサ１１は、充電後、好ましくは第１のタイムトラッカー値を無線で送るのに必要なエネルギを通信ユニット７に供給する。  従って、本考案の電流センサは電源内蔵式であり、ユーザはこれを電源コードにクランプするだけでよい。
【００４７】  好ましくは、コンデンサの充電を可能にするために、本考案による電流センサは、第１のタイムトラッカーの第１の値が送られる前の、機器が機能している間の最小期間で、ワイヤの周りにクランプすることができる。
【００４８】  コンデンサ１１は、任意のタイプのコンデンサとして選択される。好ましくは、このコンデンサは、一般に圧縮機、真空ポンプ、又は乾燥機から発生する温度及び振動に耐性があり、作動寿命が長いタイプである。  これらのコンデンサに関して、本考案の電流センサ１は、ＧＳＭ方式のモジュールを介してデータを送るのに十分なエネルギを供給することができる、例えば、限定されるものではないが、１ファラッドから２０ファラッド、より好ましくは１０ファラッドから１５ファラッドの間で選択された容量のコンデンサなどの、任意のコンデンサ１１を使用することができる。
【００４９】  本考案による他の実施形態において、第２のモジュール４は、処理ユニット６へのデータリンクを備えかつ第１のタイムトラッカー値を記憶するようになっているメモリモジュール（図示せず）をさらに備える。  従って、電流センサ１は、ユーザの要求に応じて、設定時間間隔の後で第１のタイムトラッカー値を送ることができる。  この設定時間間隔は、例えば数時間又は数日の間で選択された任意の時間間隔として選択される。
【００５０】  好ましい実施形態において、限定されるものではないが、この設定時間間隔は２４時間に一度として選択される。  この手法は、電流強度の全ての測定の後に無線通信が始まるのではなくこの設定時間間隔の後に始まるので、エネルギ消費量がさらに低減する。
【００５１】  好ましくは、無線通信が始まると、通信ユニットは第１のタイムトラッカーの最終値を送る。  必要な場合、ユーザは測定順に第１のタイムトラッカー値の全てを読み出すことができる。  この手法は、機器の使用形態を示すことができる。
【００５２】  このメモリモジュールは、任意のメモリモジュールであり、好ましくは、限定されるものではないが、このメモリモジュールは、非揮発性タイプである。  他の好ましい実施形態において、限定されるものではないが、メモリモジュールは、設定時間間隔の間に測定した第１のタイムトラッカー値の全てを記憶する能力がある。
【００５３】  本考案による他の実施形態において、無線通信ユニット７は、第１のタイムトラッカー値を中央制御装置、クラウド又は外部デバイスに送ることができる。  本考案による他の好ましい実施形態において、このメモリモジュールが一杯になると、通信ユニット７は全ての記憶値を中央制御装置、クラウド又は外部デバイスに送り、メモリモジュールをリセットすることができる。  好ましくは、これは第１のタイムトラッカーの最終値を保持することができる。
【００５４】  本考案による１つの実施形態において、限定されるものではないが、メモリモジュールの寿命を延ばすために、メモリモジュールは、あらゆるリセットの後でデータを異なるセクションに書き込むようになっている。  このような手法を採用することで、各セクションは、損傷から保護されると共に、設定時間間隔に達する前に一杯にならないことが保証される。
【００５５】  本考案による他の実施形態において、通信ユニット７は、コンデンサ１１が完全に充電（ｌｏａｄｅｄ）されると、記憶した第１のタイムトラッカー値を中央制御装置、クラウド又は外部デバイスに送ることができる。
【００５６】  本考案によるさらに他の実施形態において、第１のタイムトラッカーは、第２のカウンターをさらに備える。この第２のカウンターは、機器が無負荷状態にある時間を追跡することができる。  従って、測定電流強度が第１の所定閾値以下であるがゼロではない場合、第２のカウンターは増分される。測定電流強度がゼロに等しい場合、処理ユニット６は、好ましくは、いずれのカウンターも増分しないことになる。
【００５７】  好ましくは、第２のカウンターは、第２の所定値が加えられる第２のカウンターの最終値を考慮して、第１のカウンターと同じ方法で増分される。この第２の所定値は、好ましくは、第１の所定値と同じである。  しかしながら、第２の所定値が第１の所定値とは異なる値をもつように選択されることは排除されない。
【００５８】  典型的に、圧縮機又は真空ポンプは、この圧縮機又は真空ポンプが非常に低速で稼働しておりかつ圧縮機又は真空ポンプが接続されるネットワーク上の要求が非常に低いか又は無い場合、無負荷状態と見なされる。  典型的に、圧縮機又は真空ポンプが約２０％の公称出力で稼働している場合に無負荷状態と見なされる。
【００５９】  さらに、この第１の所定値及び／又はこの第２の所定値が、サービスが機器で実行されることが望ましいが測定周期とは異なる時点を示す数又は文字として選択されることは排除されるべきではない。
【００６０】  本考案による他の好ましい実施形態において、通信ユニット７は、通信が始まるとすぐに第１のカウンター及び第２のカウンターの最新値を送るようになっている。  さらに他の好ましい実施形態において、第１のタイムトラッカーは、好ましくは、限定されるものではないが、各電流測定の後で第１のカウンターの値に第２のカウンターの値を加えることができる。
【００６１】  好ましくは、合計結果は、メモリモジュールに記憶されて通信ユニット７を経由して送られる。  合計値は、機器の全稼働時間を示す。
【００６２】  本考案による別の実施形態において、通信ユニット７は、最新の合計値、及び少なくとも第１のカウンター値又は第２のカウンター値の何れかを送るようになっている。  しかしながら、第１のカウンター値又は第２のカウンター値の両方を一緒に合計結果と共に送ることは排除されるべきではない。
【００６３】  第１のカウンター及び第２のカウンターは、第１のタイムトラッカーの２つのソフトウェア変数である。第１のカウンターは、機器が負荷状態に維持される間の時間を示し、第２のカウンターは、機器が無負荷状態に維持される間の時間を示す。本考案による他の実施形態において、第２のモジュール４は、第２のタイムトラッカーを備える。  この第２のタイムトラッカーは、設定時間間隔の後で電流センサ１が第１のタイムトラッカー値を送るのを保証するための追加のチェックを可能にする。
【００６４】  この第２のタイムトラッカーは、読み出しを行い、実際の昼間を検索するか又は設定時間間隔が起きた後の通信時間毎にリセットされ、この設定時間間隔の追跡を行う。
【００６５】  本考案による他の実施形態において、限定されるものではないが、電流センサ１は、設定時間間隔の後で第１のタイムトラッカーの最新値を送ること、及び／又はコンデンサ１１が完全に充電された場合にメモリモジュールに記憶された全ての第１のタイムトラッカー値を送ることができる。  本考案によるさらに他の実施形態において、通信ユニット７は、中央制御装置、クラウド又は外部デバイスへの最後の通信に続いて、記憶された第１のタイムトラッカー値だけを送ることができ、データの重複を避ける。
【００６６】  好ましくは、限定されるものではないが、通信ユニット７は、全稼働時間を示す合計結果、並びに第１のカウンター値又は第２のカウンター値の２つのうちの少なくとも一方を中央制御装置、クラウド又は外部デバイスに送ることができる。
【００６７】  本考案による好ましい実施形態によれば、本考案による電流センサ１は、バッテリモジュールを備えていない。  本考案の実施形態によれば、本考案による電流センサ１は、機器を保持するハウジング（図示せず）の内部又は当該ハウジングの外部のいずれかに取り付けることができる。  これにより、本考案による電流センサ１は、目に見えてアクセスが容易である。
【００６８】  本考案による電流センサ１は、各種圧縮機、真空ポンプ又は乾燥機に取り付けるのに適している。  本考案による他の実施形態において、電流センサ１は、圧縮ガス供給網１３の電源コード５に取り付けることができる（図３）。この圧縮ガス供給網１３は、定速電気モータ又は可変速電気モータによって駆動される圧縮機要素を備える。  電気モータは電気配線を備え、この電気配線によって電力網又は発電機からの電気エネルギが供給される。この電気配線は、電力ケーブル５に直接又は間接的に接続される。
【００６９】  本考案との関連において、圧縮ガス供給網１３は、完全な圧縮機設備であり、圧縮機要素、全ての典型的な接続パイプ及びバルブ、圧縮機のハウジング、及び場合によっては圧縮機要素を駆動するモータを含むことを理解されたい。  本考案との関連において、圧縮機要素は、ロータ又は往復運動によって内部で圧縮プロセス起こる圧縮機要素ケーシングとして理解されたい。  本考案との関連において、この圧縮機要素は、スクリュー式、歯車式、クロー式、スクロール式、ローターリベーン式、遠心式、ピストン式などを含むグループから選択することができる。
【００７０】  本考案による他の実施形態において、圧縮ガス供給網１３は、圧縮ガス乾燥機を備えることができる。圧縮ガス乾燥機は、モータに接続された電気ワイヤ又は乾燥機に制御装置部分に接続された電気ワイヤを備える。  従って、本考案の電流センサは、モータの電気ワイヤ上に又制御装置の電気ワイヤ上に取り付けること及び圧縮ガス乾燥機の稼働時間をカウントすることができる。
【００７１】  本考案による他の実施形態において、圧縮ガス供給網１３が２又は３以上の機器を備える場合（図示せず）、各々は電気ワイヤを有するモータを備えるか、又は単純にそれらのそれぞれの電気回路に電気エネルギを供給する電気ワイヤを備える。本考案による電流センサ１は、これらの電気ワイヤの各々に取り付けること及びそれぞれの機器の稼働時間をカウントすることができる。  好ましくは、電流センサ１は、２キロワットから２２キロワットの電力範囲を有する圧縮機、真空ポンプ又は乾燥機の電力ケーブルのワイヤ上に取り付けられる。
【００７２】  当該機器は、一般に低電力範囲であり、例えば、限定されるものではないが、空気動力工具に電力を供給する専門店、家庭、又は産業環境に見出される。  しかしながら、この電流センサ１を高電力範囲の機器に使用することは排除されるべきではない。  しかしながら、本考案による電流センサ１は、ＨＶＡＣシステムの電力ケーブルのワイヤ上に取り付けることは意図されていないことを理解されたい。
【００７３】  電力特性が異なる種々の機器上への非常に簡単な取り付けを助けるために、本考案による電流センサ１は、複数の事前設定ポートを有するディップスイッチ（図示せず）をさらに備え、一般に事前設定ポートの各々は、種々の圧縮機、乾燥機又は真空ポンプに使用される。  本考案による実施形態において、各ポートは、好ましくは、圧縮機、乾燥機又は真空ポンプの特定のタイプに特徴的な第１の所定閾値を備える。
【００７４】  ディップスイッチ上のポートが選択されると、電流センサ１は、このポートに関連する第１の所定閾値を読み出して、これを用いて測定電流強度と比較することになる。  本考案による他の実施形態において、電流センサ１は、温度センサを備えることができ、ユーザは、機器が機能している環境に関するデータ又は機器自体の温度に関するデータを読み出すことが可能になる。
【００７５】  電流センサ１は、機器に取り付けられたセンサから無線通信によって情報を受け取り、機器のより詳細な分析を行うことをさらに可能にする。  従って、本考案による電流センサ１のユーザは、エネルギ消費量、機器の連続稼働時間、次の計画的保守管理などの機器の機能パターンに関連するデータだけでなく、この機器の機能性能に影響を与える可能性がある他のパラメータ（例えば、大気温度、機器の種々の箇所の温度、又は場合によっては湿度や露点）に関する情報を読み出すことができる。
【００７６】  電流センサ１の機能は非常に単純であり以下の通りである、  電流センサ１は、圧縮機又は真空ポンプなどの機器の電力ケーブル５のワイヤ部の周りにクランプされ、電力ケーブル５のワイヤを流れる電流が測定され、この測定電流は、第１の通信リンク８を経由して処理ユニット６に送られる。  電流測定値は、処理ユニット６に送られる前に所定の値に変換することができ、又はこの処理ユニットはこの測定値を受け取った後で所定の値に変換することができる。
【００７７】  さらに、処理ユニットは、測定電流強度を第１の所定閾値と比較し、測定電流強度が第１の所定閾値を上回る場合、第１のタイムトラッカーの第１のカウンターを増分する。第１のタイムトラッカー値は、ＧＳＭ方式のモジュール経由で中央制御装置、クラウド又は外部デバイスに送られる。  この外部デバイスは、例えば、限定されるものではないが、外部ハードドライブ、コンピュータ、タブレット、電話、携帯情報端末（ＰＤＡ）などの任意のデバイスとすることができる。  好ましくは、この外部デバイスは、ＧＳＭ方式の接続を経由してデータを受け取ることができる。
【００７８】  処理ユニット６は、好ましくは、マイクロプロセッサを備える（図示せず）。このマイクロプロセッサは、典型的に、非常に低電力で低コストであり、比較及び上記の各ステップを実行することができる。  好ましくは、電流センサ１は、ＧＳＭ方式のモジュールに提供された固有コードで識別することができ、例えば、限定されるものではないが、Ｉｎｔｅｒｎａｔｉｏｎａｌ  Ｍｏｂｉｌｅ  Ｅｑｕｉｐｍｅｎｔ  Ｉｄｅｎｔｉｔｙ  （ＩＭＥＩ）コード、又はＩｎｔｅｇｒａｔｅｄ  Ｃｉｒｃｕｉｔ  Ｃａｒｄ  Ｉｄｅｎｔｉｆｉｅｒ  （ＩＣＣＩＤ）又は何らかの他のタイプのコードである。
【００７９】  本考案による他の実施形態において、各機器は、Ｑｕｉｃｋ  Ｒｅｓｐｏｎｓｅ  （ＱＲ）コードを備えることができる。  本考案による実施形態において、本考案による電流センサ１のユーザは、ウェブサイトにアクセスして、ＩＭＥＩコードなどの固有コードで機器を特定すること及び／又はＱＲコード（登録商標）をスキャンすることで、又はこのＱＲコード（登録商標）をスキャンして電流センサ１に問い合わせることで、クラウドから又は電流センサから直接、第１のカウンター及び／又は第２のカウンターの最新値に関する情報を読み出すことができる。
【００８０】  好ましくは、本考案による方法は、所定の時間間隔の間で電流センサ１のための初期設定段階を実行することを含み、電流センサ１が通常の機能状態に達するのを可能にする。  好ましくは、各測定の間で、エネルギを保存するために、電流センサ１はスリープモードになる。  本方法は、電力ケーブルから電気エネルギを取り込み、第２のモジュール４の一部のコンデンサ１１を充電することを含む。典型的に、初期設定段階の後で、電流センサ１は、ＧＳＭ方式のモジュール経由での無線通信を開始するのに十分なエネルギでもってコンデンサ１１を充電することになる。
【００８１】  本考案による実施形態において、限定されるものではないが、この初期設定段階は、２時間から２４時間、より好ましくは２時間から１５時間、さらに好ましくは２時間から８時間の間から選択した任意の値として選択することができる。  典型的に、コンデンサ１１は、約８時間後に完全に充電されるか又はほぼ完全に充電されることになる。
【００８２】  本考案による他の実施形態において、本方法は、第２のモジュール４の一部のディップスイッチのポートを事前設定するステップを含み、各ポートが第１の所定閾値を有するようになっている。  本考案による電流センサ１のユーザは、必要なポートを選択して電流センサ１をワイヤ上に取り付けるだけでよい。このようにすることで、電流センサ１は、使用される特定の圧縮機又は真空ポンプに適合する。
【００８３】  本考案による１つの実施形態において、クラウド又は外部デバイスに送られる第１のカウンター値及び／又は第２のカウンター値は、ユーザが機器の保守管理を計画するのを助けるために監視される。  さらに、例えば、限定されるものではないが、ユーザの要求に応じて１ヶ月、２ヶ月、又は数週間などの所定の期間内に値を受け取らなかった場合、機器がオフになっていることを知らせる警報信号をユーザに送ることができる。
【００８４】  警報信号は、中央制御装置、クラウド、又はユーザが監視する外部デバイスに送られる。  この警報信号は、携帯電話に送られるテキストメッセージでもある。  従って、機器が所定時間にわたってオフになっている場合、コンデンサ１１は空になる可能性があり、一旦オンになると、電流センサ１は、妥当な充電状態に達するために最低限の時間を必要とすることになる。
【００８５】  試験は、コンデンサ１１が完全に空になり得る場合、電流センサ１が再度機能できるのに約２時間を必要とするであろうことを示した。  さらに、好ましくは、機器が再始動すると、最終合計値、第１のカウンター値及び／又は第２のカウンター値はメモリモジュールから読み出される。  最後に送られた合計値、第１のカウンター値及び／又は第２のカウンター値は、中央制御装置、クラウド、又は外部コンピュータから読み出すことができる。
【００８６】  電流センサ１及び／又はこのような電流センサ１を備える圧縮ガス供給網のデザインに応じて、この電流センサ１及び／又はこの圧縮ガス供給網は、本考案の範疇から逸脱することなく何らかの組み合わせで本明細書に示す技術的特徴の一部又は全てを備えることができる。  技術的特徴に関して、これは、少なくとも、ハウジング２、第１のモジュール３、第２のモジュール４、処理ユニット６、通信ユニット７、コンデンサ１１、ハウジング２の可動セクション、エネルギ変換回路１０、第３の通信リンク１２、メモリモジュール、第１のタイムトラッカー、第１のカウンター、第２のカウンター、設定時間間隔の後で値を送ること、第２のタイムトラッカー、ディップスイッチ、温度センサ、マイクロプロセッサ、ＳＩＭカード、初期設定段階、スリープモード、ディップスイッチの事前設定ポートなどを意味する。
【００８７】 なお、明細書、特許請求の範囲、及び、要約書に記載の「ＧＳＭ方式のモジュール」における「ＧＳＭ」は、欧州発の第２世代デジタル携帯電話方式を示す技術用語である「Global System for Mobile Communications（グローバル・システム・モバイル・コミュニケーション）」の略語である。  本考案は、実施例として記載され図面に示された実施形態に限定されるものではなく、この電流センサ１は、本考案の範疇から逸脱することなく全ての変形形態で実現することができる。
【符号の説明】
【００８８】１  電流センサ２  ハウジング３  第１のモジュール４  第２のモジュール５  電力ケーブル６  処理ユニット７  通信ユニット８  第１の通信リンク９  第２の通信リンク１０  エネルギ変換回路１１  コンデンサ１２  第３の通信リンク